(57)【要約】  多層情報記録媒体に情報記録を行う際の各記録層への記録パワーを適正に保ちつつ、情報記録開始時におけるイニシャライズ時間を単層情報記録媒体と同等程度まで短縮することを課題とする。  多層情報記録媒体の各記録層について、記録パワーを最適化するためのＯＰＣ処理を含む調整処理を行う調整処理手段１１０と、各記録層における調整処理の結果に基づいて、各記録層に対し情報記録処理を行う情報記録手段１２０と、を備え、調整処理手段１１０は、最初の記録開始アドレスがある開始記録層についてのみ、情報記録手段１２０による情報記録開始時に調整処理を行う初期調整処理手段１１１と、開始記録層以外の記録層について、情報記録手段１２０による情報記録処理中に調整処理を行う中間調整処理手段１１２と、を有するものである。
2007091410.tif 000002
【特許請求の範囲】
【請求項１】
多層情報記録媒体の各記録層について、記録パワーを最適化するためのＯＰＣ処理を含む調整処理を行う調整処理手段と、
各記録層における前記調整処理の結果に基づいて、各記録層に対し情報記録処理を行う情報記録手段と、を備え、
前記調整処理手段は、
最初の記録開始アドレスがある開始記録層についてのみ、前記情報記録手段による情報記録開始時に前記調整処理を行う初期調整処理手段と、
前記開始記録層以外の記録層について、前記情報記録手段による情報記録処理中に前記調整処理を行う中間調整処理手段と、から成ることを特徴とする情報記録装置。
【請求項２】
前記情報記録手段は、実記録動作モードとパワーセーブモードとを繰り返す間欠動作により前記情報記録処理を行い、
前記中間調整処理手段は、前記パワーセーブモード時に、前記調整処理を行うことを特徴とする請求項１に記載の情報記録装置。
【請求項３】
前記中間調整処理手段は、前記調整処理の実行中に、前記情報記録手段が前記実記録動作モードに移行する必要が生じた場合、前記調整処理を中断して前記情報記録手段を前記実記録動作モードに移行させ、前記情報記録手段が再度前記パワーセーブモードに移行したとき、未完了の前記調整処理を実行することを特徴とする請求項２に記載の情報記録装置。
【請求項４】
前記中間調整処理手段は、前記調整処理を複数の項目に分割した部分調整処理を、前記情報記録手段が前記実記録動作モードから前記パワーセーブモードに移行する毎に、それぞれ実行することを特徴とする請求項２に記載の情報記録装置。
【請求項５】
多層情報記録媒体の各記録層について、記録パワーを最適化するためのＯＰＣ処理を行う多層情報記録媒体のＯＰＣ処理方法であって、
最初の記録開始アドレスがある開始記録層以外の記録層については、情報記録処理中に前記ＯＰＣ処理を行うことを特徴とする多層情報記録媒体のＯＰＣ処理方法。
【請求項６】
コンピュータを、請求項１ないし４のいずれか１項に記載の情報記録装置における各手段として機能させるためのプログラム。
【発明の詳細な説明】
【技術分野】
【０００１】
本発明は、多層情報記録媒体の各記録層について、記録パワーを最適化するためのＯＰＣ処理を行う情報記録装置、多層情報記録媒体のＯＰＣ処理方法、プログラムに関するものである。
【背景技術】
【０００２】
一般に、ＤＶＤやＣＤ等の情報記録媒体に対して情報の記録を行う情報記録装置では、情報記録開始時に、記録パワー（レーザー光の出力）を最適化するためのＯＰＣ（Optimum Power Calibration）処理を行っている。一方、近年、記録容量の向上のため、複数の記録層を有する多層構造の情報記録媒体が知られている。この多層構造の情報記録媒体（以下、「多層情報記録媒体」と称する）について、上記のＯＰＣ処理を行うと、記録層毎に記録パワーを最適化する必要があるため、処理時間（情報記録開始時におけるイニシャライズ時間）が増加してしまうといった問題があった。【０００３】
そこで、ＯＰＣ処理に要する時間短縮を図るべく、第１の記録層のＯＰＣ処理結果（レーザー光の最適出力値）と、第１の記録層および第２の記録層からの反射光をそれぞれ受光したときの受光素子の出力パターンの偏差の比と、に基づいて、第２の記録層についてのレーザー光の最適出力値を求めることにより、第２の記録層のＯＰＣ処理を省略するといった技術が提案されている（例えば、特許文献１）。
【特許文献１】特開２００５―２６７８０９号公報
【発明の開示】
【発明が解決しようとする課題】
【０００４】
しかしながら、上記の特許文献１に記載された方法は、第２の記録層についてのレーザー光の最適出力値を予測するものであるため、実際に第２の記録層についてＯＰＣ処理を行った結果を用いてレーザー光の最適出力値を設定する場合と比べると、信頼性に欠けるといった難点がある。また、ＯＰＣ処理以外の調整処理（サーボゲイン調整処理など）は、第２の記録層についても必要になるため、情報記録開始時におけるイニシャライズ時間を、１層のみの情報記録媒体と同等程度まで短縮できるものではなかった。【０００５】
そこで、本発明は、多層情報記録媒体に情報記録を行う際の各記録層への記録パワーを適正に保ちつつ、情報記録開始時におけるイニシャライズ時間を単層情報記録媒体と同等程度まで短縮可能な情報記録装置、多層情報記録媒体のＯＰＣ処理方法、プログラムを提供することを目的とする。
【課題を解決するための手段】
【０００６】
本発明の情報記録装置は、多層情報記録媒体の各記録層について、記録パワーを最適化するためのＯＰＣ処理を含む調整処理を行う調整処理手段と、各記録層における調整処理の結果に基づいて、各記録層に対し情報記録処理を行う情報記録手段と、を備え、調整処理手段は、最初の記録開始アドレスがある開始記録層についてのみ、情報記録手段による情報記録開始時に調整処理を行う初期調整処理手段と、開始記録層以外の記録層について、情報記録手段による情報記録処理中に調整処理を行う中間調整処理手段と、から成ることを特徴とする。【０００７】
この構成によれば、多層情報記録媒体の各記録層について、ＯＰＣ処理を含む調整処理を行うにあたり、情報記録開始時には、最初の記録開始アドレスがある開始記録層についてのみ調整処理を行えば良く、その他の記録層については情報記録処理中に調整処理を行うため、情報記録開始時におけるイニシャライズ時間を、単層情報記録媒体と同等程度まで短縮することができる。また、開始記録層以外の記録層についても実際に調整処理を行うため、各記録層への最適な記録パワーの設定において信頼性に劣ることがない。なお、「多層情報記録媒体」とは、複数の記録層を有する多層構造の情報記録媒体を指すものである。また、「ＯＰＣ処理」とは、Optimum Power Calibration処理、すなわち多層情報記録媒体の各記録層に対する記録パワーを最適化するための処理を指すものである。【０００８】
上記の情報記録装置において、情報記録手段は、実記録動作モードとパワーセーブモードとを繰り返す間欠動作により情報記録処理を行い、中間調整処理手段は、パワーセーブモード時に、調整処理を行うことが好ましい。【０００９】
この構成によれば、ＤＶＤレコーダやＤＶＤカムコーダ等の情報記録装置において、一般的な情報記録方法である間欠動作のパワーセーブモード時を利用して調整処理を行うため、記録速度を低下させることなく、開始記録層以外の記録層について調整処理を行うことができる。なお、「実記録動作モード」とは、記録層に対し実際に記録動作を行っている状態を指し、「パワーセーブモード」とは、情報記録処理中ではあるが実際に記録動作を行っていない状態を指すものである。【００１０】
上記の情報記録装置において、中間調整処理手段は、調整処理の実行中に、情報記録手段が実記録動作モードに移行する必要が生じた場合、調整処理を中断して情報記録手段を実記録動作モードに移行させ、情報記録手段が再度パワーセーブモードに移行したとき、未完了の調整処理を実行することが好ましい。【００１１】
この構成によれば、調整処理の実行中でもバッファ内に記録データが書き込まれると調整処理を中断して記録動作を行うため、１回のパワーセーブモード時に調整処理が完了しない場合でも、記録速度に影響を与えることがない。すなわち、調整処理として、ＯＰＣ処理やサーボゲイン調整などを含む多数の処理が必要な場合でも、記録速度を低下させることなく、全ての調整処理を実行することができる。【００１２】
上記の情報記録装置において、中間調整処理手段は、調整処理を複数の項目に分割した部分調整処理を、情報記録手段が実記録動作モードからパワーセーブモードに移行する毎に、それぞれ実行することが好ましい。【００１３】
この構成によれば、調整処理を、１回のパワーセーブモード時で実行可能な程度に予め分割しておき、それぞれをパワーセーブモードに移行する毎に実行することで、調整処理の制御を容易に行うことができる。例えば、調整処理として、サーボゲイン調整とＯＰＣ処理とを実行する場合、最初のパワーセーブモード時にサーボゲイン調整を行い、次のパワーセーブモード時にＯＰＣ処理を行うといった制御を行うことができる。【００１４】
本発明の多層情報記録媒体のＯＰＣ処理方法は、多層情報記録媒体の各記録層について、記録パワーを最適化するためのＯＰＣ処理を行う多層情報記録媒体のＯＰＣ処理方法であって、最初の記録開始アドレスがある開始記録層以外の記録層については、情報記録処理中にＯＰＣ処理を行うことを特徴とする。【００１５】
この構成によれば、多層情報記録媒体の各記録層について、ＯＰＣ処理を行うにあたり、情報記録開始時には、最初の記録開始アドレスがある開始記録層についてのみＯＰＣ処理を行えば良く、その他の記録層については情報記録処理中にＯＰＣ処理を行うため、情報記録開始時におけるイニシャライズ時間をＯＰＣ処理時間分短縮することができる。また、開始記録層以外の記録層についても実際に調整処理を行うため、各記録層への最適な記録パワーの設定において信頼性に劣ることがない。なお、「多層情報記録媒体」とは、複数の記録層を有する多層構造の情報記録媒体を指すものである。また、「ＯＰＣ処理」とは、Optimum Power Calibration処理、すなわち多層情報記録媒体の各記録層に対する記録パワーを最適化するための処理を指すものである。【００１６】
本発明のプログラムは、コンピュータを、上記の情報記録装置における各手段として機能させるためのものであることを特徴とする。【００１７】
このプログラムを用いることにより、多層情報記録媒体に情報記録を行う際の各記録層への記録パワーを適正に保ちつつ、情報記録開始時におけるイニシャライズ時間を単層情報記録媒体と同等程度まで短縮可能な情報記録装置を実現することができる。
【図面の簡単な説明】
【００１８】
【図１】本発明の一実施形態に係るＤＶＤカムコーダのブロック構成図である。
【図２】多層光ディスクの層構造を説明するための図である。
【図３】ＤＶＤカムコーダの機能ブロック図である。
【図４】情報記録処理を示すフローチャートである。
【図５】図４に続くフローチャートである。
【符号の説明】
【００１９】
１      ＤＶＤカムコーダ
１０    レーザー光
１２    光ピックアップ
２０    駆動制御系
３０    記録・再生信号処理系
４０    フロントエンドコントローラ
９１ａ  第１の記録層（Ｌ０層）
９１ｂ  第２の記録層（Ｌ１層）
１１０  調整処理手段
１１１  初期調整処理手段
１１２  中間調整処理手段
１２０  情報記録手段
Ｄ      多層光ディスク
【発明を実施するための最良の形態】
【００２０】
以下、本発明の一実施形態に係る情報記録装置、多層情報記録媒体のＯＰＣ処理方法、プログラムについて、添付図面を参照しながら詳細に説明する。本発明は、多層情報記録媒体の各記録層について、記録パワーを最適化するためのＯＰＣ（Optimum Power Calibration）処理を含む各種調整処理を行うにあたり、情報記録開始時には、最初の記録開始アドレスがある開始記録層についてのみ調整処理を行い、その他の記録層については情報記録処理中に調整処理を行うことにより、情報記録開始時におけるイニシャライズ時間を、その他の記録層の調整処理時間分短縮することができるといった作用・効果を奏する。そこで、本発明の情報記録装置を、ＤＶＤカムコーダに適用した場合を例に挙げて説明する。【００２１】
図１は、本発明の一実施形態に係るＤＶＤカムコーダ１のブロック構成図である。同図に示すように、ＤＶＤカムコーダ１は、複数の記録層を有する多層情報記録媒体（以下、「多層光ディスク」と称する）Ｄを回転させるスピンドルモータ１１と、多層光ディスクＤにレーザー光１０を照射して情報の読み書きを行う光ピックアップ１２と、当該光ピックアップ１２を多層光ディスクＤ上の適切な位置に臨むように移動させるトラッキングモータ（粗移動機構系）１３と、これらスピンドルモータ１１、光ピックアップ１２およびトラッキングモータ１３を駆動する駆動制御系２０と、２つの光ピックアップ１２による情報記録処理および再生処理を行う記録・再生信号処理系３０と、駆動制御系２０および記録・再生信号処理系３０を統括制御するフロントエンドコントローラ４０と、をそのフロントエンド側に備えている。【００２２】
また、ＤＶＤカムコーダ１は、被写体を撮像するカメラ６１と、ユーザが各種操作を行うためのユーザ操作部６２と、撮像中の映像や多層光ディスクＤから読み出した映像（画像）を表示する液晶ディスプレイ６３と、液晶ディスプレイ６３に表示する映像（画像）の画像処理を行う画像処理系７０と、ユーザ操作部６２、画像処理系７０およびカメラ６１を統括制御するバックエンドコントローラ８０と、をそのバックエンド側に備えている。また、フロントエンド側とバックエンド側とは、インターフェース５０を介して記録・再生信号および各種制御データの入出力を行っている。【００２３】
光ピックアップ１２は、レーザー光１０を発生するレーザー素子９４と、レーザー光１０を多層光ディスクＤ上の読み出し位置または書き込み位置に集光させるための対物レンズ９５と、レーザー光１０の反射光を受光する受光素子９６と、を有している。受光素子９６は、受光した各記録層からの反射光を電気信号に変換し、記録・再生信号処理系３０に出力する。【００２４】
駆動制御系２０は、スピンドルモータ１１を駆動する回転ドライバ２１と、光ピックアップ１２を駆動する光ピックアップドライバ２２と、トラッキングモータ１３を駆動する光ピックアップ位置ドライバ２３と、を有している。また、記録・再生信号処理系３０は、多層光ディスクＤに記録するための記録信号（記録データ）を格納する記録用バッファ３１と、多層光ディスクＤから読み出した再生信号（再生データ）を格納する再生用バッファ３２と、を有している。【００２５】
フロントエンドコントローラ４０は、上記の駆動制御系２０を制御するためのサーボシステム４１を有している。サーボシステム４１は、光ピックアップ１２の位置に応じて、回転ドライバ２１（スピンドルモータ１１）を制御し、最適な回転数で多層光ディスクＤを回転させる。また、フロントエンドコントローラ４０は、光ピックアップドライバ２２（光ピックアップ１２）や光ピックアップ位置ドライバ２３（トラッキングモータ１３）を制御して、フォーカシングやトラッキングといった光スポット位置の調整（サーボゲイン調整）、並びに希望トラックまで光ピックアップ１２を移動させるシーク制御等を行う。さらに、フロントエンドコントローラ４０は、多層光ディスクＤのテスト領域にレーザー光１０の出力パワーを変化させながら記録マークを書き込み、当該記録マークの読み取り結果からレーザー光１０の出力毎に記録品質を評価すると共に、その評価に基づいて最適な記録パワーを設定する処理を行う（以下、単に「ＯＰＣ処理」と称する）。【００２６】
バックエンドコントローラ８０は、カメラ６１から入力された撮像データに基づいて映像信号を生成し、当該映像信号をユーザ操作部６２からの指令に基づいて、インターフェース５０と画像処理系７０との少なくとも一方に出力する。また、フロントエンド側からインターフェース５０を介して多層光ディスクＤの再生データが入力されると、これを画像処理系７０に出力する。画像処理系７０は、入力された映像信号や再生データのＶＴＲ信号処理およびデコーダ処理を行う。【００２７】
ここで、ＤＶＤカムコーダ１における記録・再生処理の流れを簡単に説明する。ユーザ操作部６２からの記録命令に基づき、カメラ６１で撮像された映像信号がバックエンドコントローラ８０およびインターフェース５０を介してフロントエンド側に入力されると、フロントエンドコントローラ４０は、駆動制御系２０を制御して光ピックアップ１２を適切な位置に移動させると共に、多層光ディスクＤの開始記録層（最初の記録開始アドレスがある記録層）に対して、記録パワーを最適化するためのＯＰＣ処理を含む各種調整処理を行う。また、フロントエンドコントローラ４０は、バックエンド側から入力された映像信号を、記録・再生信号処理系３０に入力する。記録・再生信号処理系３０は、フロントエンドコントローラ４０から入力された映像信号を、レーザー発光のＯＮ／ＯＦＦを駆動するための記録データに変換し、記録用バッファ３１に一旦格納した後、順次光ピックアップ１２に入力する。【００２８】
一方、ユーザ操作部６２から再生命令が出された場合、フロントエンドコントローラ４０は、駆動制御系２０を制御して、光ピックアップ１２を再生したい希望のアドレスにアクセスさせる。また、光ピックアップ１２により微弱なレーザーパワー（記録時の１／１０程度）によって読み出した再生信号を、記録・再生信号処理系３０によりデジタル信号処理する。フロントエンドコントローラ４０は、当該デジタル信号処理後の再生データを、インターフェース５０、バックエンドコントローラ８０および画像処理系７０を介して液晶ディスプレイ６３に表示、若しくは図示しない外部インターフェースを介して外部装置に出力する。【００２９】
次に、図２を参照し、多層光ディスクＤの層構造について説明する。ここでは、２つの記録層９１ａ，９１ｂを有する２層構造の光ディスクを例示する。多層光ディスクＤは、レーザー光１０の照射側から、基材層９３ａ、第１の記録層（Ｌ０層）９１ａ、中間層（スペーサー層）９２、第２の記録層（Ｌ１層）９１ｂおよび基材層９３ｂが積層されている。第１の記録層９１ａは、入射されたレーザー光１０を半分反射して半分透過するように、半透明反射膜上に形成されている。一方、第２の記録層９１ｂは、入射されたレーザー光１０を全て反射するように、全反射膜上に形成されている。また、中間層９２は、透明な光硬化樹脂など透過率が高い材料で形成されている。【００３０】
各記録層（Ｌ０層およびＬ１層）９１ａ，９１ｂへの情報の記録および再生は、レーザー光１０を収束する対物レンズ９５を多層光ディスクＤに近づけたり遠ざけたりすることによって（図示矢印参照）、レーザー光１０の焦点を、第１の記録層９１ａまたは第２の記録層９１ｂに収束させることによって実現する。【００３１】
次に、図３の機能ブロック図を参照し、ＤＶＤカムコーダ１の制御構成について説明する。ＤＶＤカムコーダ１の制御系は、多層光ディスクＤの各記録層９１ａ，９１ｂについて、上記のＯＰＣ処理を含む各種調整処理を行う調整処理手段１１０と、当該調整処理手段１１０による調整処理結果に基づいて、各記録層９１ａ，９１ｂに対し情報記録処理を行う情報記録手段１２０と、に大別される。【００３２】
調整処理手段１１０は、最初の記録開始アドレスがある開始記録層についてのみ調整処理を行う初期調整処理手段１１１と、開始記録層以外の記録層について調整処理を行う中間調整処理手段１１２と、から成る。つまり、図２に示した２層構造の多層光ディスクＤの場合、Ｌ０層９１ａに最初の記録開始アドレスがある場合は、Ｌ０層９１ａの調整処理を初期調整処理手段１１１が行い、Ｌ１層９１ｂの調整処理を中間調整処理手段１１２が行うこととなる。【００３３】
また、各調整処理手段１１１，１１２は、ＯＰＣ処理の他、サーボゲインや発光タイミングの調整処理を含む光ピックアップ１２の初期化処理など、通常多層光ディスクＤの情報記録開始時に実行される調整処理に相当する処理を行う点で共通するが、その処理を実行するタイミングが異なる。具体的には後述するが、初期調整処理手段１１１は、情報記録手段１２０による情報記録開始時に、また中間調整処理手段１１２は、情報記録手段１２０による情報記録処理中に、それぞれ調整処理を行う。【００３４】
一方、情報記録手段１２０は、「実記録動作モード」と「パワーセーブモード」とを数秒または数十秒おきに繰り返す間欠動作により情報記録処理を行う。この間欠動作により、ＤＶＤカムコーダ１の消費電力を小さくできるといった効果を奏する。なお、「実記録動作モード」とは、各記録層９１ａ，９１ｂに対して実際に記録を行っている状態を指すものであり、「パワーセーブモード」とは、レーザー光１０の照射を完全に中止し、多層光ディスクＤを回転させているだけの状態（スピンドルモータ１１やトラッキングモータ１３をコントロールするアクチュエータも、不必要な部分は機能していない状態）を指すものである。【００３５】
中間調整処理手段１１２は、上記のとおり情報記録手段１２０による情報記録処理中に調整処理を行うものであるが、この間欠動作における「パワーセーブモード」を利用する。通常、「パワーセーブモード」は、パワーセーブモードに移行する毎に５秒以上継続する。また、調整処理は、記録層９１毎に数十秒程度の時間を要する。したがって、開始記録層以外の記録層の調整処理、すなわち中間調整処理は、パワーセーブモード時を複数回利用して実行される。【００３６】
ここで、図４および図５のフローチャートを参照し、情報記録処理の一連の流れ（特に、上記の調整処理手段１１０による初期調整処理および中間調整処理）について説明する。ユーザにより、ＤＶＤカムコーダ１に多層光ディスクＤが挿入されると（Ｓ０１）、まずＬ０層９１ａの調整処理を行う（Ｓ０２）。ここでは、サーボゲイン調整などＯＰＣ処理以外の処理を行う。なお、仮に多層光ディスクＤが３層以上の記録層を有する場合、当該Ｓ０２ではレーザー光１０の照射側に最も近い記録層の調整処理を行う。【００３７】
続いて、多層光ディスクＤの内周リードインエリアに書き込まれている次の記録開始アドレス（ＮＷＡ：Next Writable Address）を取得し（読み出し）（Ｓ０３）、当該ＮＷＡがある開始記録層がＬ０層９１ａであるか否かを判別する（Ｓ０４）。開始記録層がＬ０層９１ａである場合は（Ｓ０４：Ｙｅｓ）、Ｌ０層９１ａのＯＰＣ処理を行う（Ｓ０５）。つまり、開始記録層がＬ０層９１ａである場合は、Ｓ０２における調整処理と、Ｓ０５におけるＯＰＣ処理と、によって初期調整処理を実行し（初期調整処理手段１１１，図３参照）、Ｓ０５の処理の終了に伴って、記録準備のためのイニシャライズ処理を完了する（Ｓ０６）。【００３８】
一方、Ｓ０４において、開始記録層がＬ０層９１ａでない場合（すなわち、開始記録層がＬ１層９１ｂの場合）は（Ｓ０４：Ｎｏ）、Ｌ１層９１ｂの調整処理を行う（Ｓ０７）。ここでは、サーボゲイン調整およびＯＰＣ処理を含む調整処理を行う。つまり、開始記録層がＬ１層９１ｂである場合は、当該Ｓ０７において初期調整処理の全てを実行することとなり（初期調整処理手段１１１，図３参照）、Ｓ０７の処理終了に伴って、記録準備のためのイニシャライズ処理を完了する（Ｓ０６）。【００３９】
このように、本実施形態では、最初の記録開始アドレスがＬ０層９１ａにあるか、Ｌ１層９１ｂにあるかに拘わらず、初期調整処理（イニシャライズ処理）としては、最初の記録開始アドレスがある記録層１層のみの調整処理を行う。これにより、記録開始までのユーザの待ち時間を単層構造の光ディスクと同等程度まで短縮することができる。【００４０】
なお、Ｓ０２において、Ｌ０層９１ａの調整処理（サーボゲイン調整などＯＰＣ処理以外の処理）を行う代わりに、デフォルト値を仮設定しておき、Ｓ０５において初期調整処理の全て（サーボゲイン調整およびＯＰＣを含む調整処理）を実行するようにしても良い。この構成によれば、仮に開始記録層がＬ１層９１ｂである場合（Ｓ０４：Ｎｏの場合）、イニシャライズ処理に要する時間をさらに短縮することができる。【００４１】
続いて、図５のフローチャートを説明する。図４に示したイニシャライズ処理の終了後、ユーザによるＲｅｃ開始ボタン（ユーザ操作部６２，図１参照）の押下により、記録開始が指示されると（Ｓ１１）、記録用バッファ３１（図１参照）に記録データがあるか否かを判別する（Ｓ１２）。通常の処理であれば（情報記録処理中に中間調整処理を実行する構成でない場合は）、ここで記録用バッファ３１にデータがある場合、実記録動作モードに移行し、データがない場合、パワーセーブモードに移行することとなる。【００４２】
しかしながら本実施形態の場合は、記録用バッファ３１にデータがない場合（Ｓ１２：Ｎｏ）、逆層の調整処理（中間調整処理）が未完了であるか否かを判別する（Ｓ１３）。つまり、図４のＳ０４の工程において、ＮＷＡがＬ０層９１ａであると判定した場合は、Ｌ１層９１ｂが当該Ｓ１３における「逆層」に相当し、当該Ｌ１層９１ｂの調整処理が未完了であるか否かを判別する。また、ＮＷＡがＬ１層９１ｂであると判定した場合は、Ｌ０層９１ａが当該Ｓ１３における「逆層」に相当し、当該Ｌ０層９１ａの調整処理が未完了であるか否かを判別する。【００４３】
ここで、逆層の調整処理が未完了である場合は（Ｓ１３：Ｙｅｓ）、未完了の中間調整処理を実行する（Ｓ１４）。例えば、Ｒｅｃ開始ボタン押下後、図５に示すルーチンを最初に回る場合は、当該Ｓ１４において、調整処理の最初の項目を実行することとなる。つまり、記録層毎に１０項目の調整処理を実行する場合、まず第１項目から調整処理を実行し、データ記録の必要がなければ順次各項目の調整処理を実行する。但し、Ｌ０層９１ａが逆層に相当する場合、図４のＳ０２において、ＯＰＣ処理以外の処理を既に実行しているため、当該Ｓ１４においては、ＯＰＣ処理を実行することとなる。【００４４】
また、Ｓ１３において、逆層の調整処理が完了している場合は（Ｓ１３：Ｎｏ）、パワーセーブモードに移行する（Ｓ１５，情報記録手段１２０）。つまり、多層光ディスクＤが有する全ての記録層の調整処理が完了すると、記録用バッファ３１にデータがない場合は（Ｓ１２：Ｎｏ）、通常どおりパワーセーブモードに移行する。【００４５】
一方、Ｓ１２において、記録用バッファ３１にデータがある場合は（Ｓ１２：Ｙｅｓ）、中間調整処理中（逆層の調整処理中）であるか否かを判別し（Ｓ１６）、中間調整処理中である場合は（Ｓ１６：Ｙｅｓ）、中間調整処理を一時中断する（Ｓ１７）。つまり、中間調整処理を実行している間に、情報記録手段１２０が実記録動作モードに移行する必要が生じた場合、中間調整処理手段１１２は中間調整処理を中断し、情報記録手段１２０によりデータの記録を行う（Ｓ１８）。なお、中間調整処理を中断した場合は、次のルーチンを回る際に中間調整処理が未完了と判別され（Ｓ１３：Ｙｅｓ）、Ｓ１４において未完了の中間調整処理が実行される。【００４６】
Ｓ１４，Ｓ１５，Ｓ１９の工程において所定時間を経過すると、ユーザによるＲｅｃ終了ボタン（ユーザ操作部６２，図１参照）の押下により記録終了が指示され、且つ記録用バッファ３１にデータがなくなったか否かを判別する（Ｓ１９）。ここで、Ｒｅｃ終了ボタンが押下され、且つ記録用バッファ３１にデータがない場合は（Ｓ１９：Ｙｅｓ）、情報記録処理を終了する（Ｓ２０）。また、Ｒｅｃ終了ボタンが押下されていない場合、若しくは記録用バッファ３１にデータが残っている場合は（Ｓ１９：Ｎｏ）、上記のＳ１２ないしＳ１８の工程を繰り返す。【００４７】
以上説明したとおり、本実施形態によれば、多層光ディスクＤが有する各記録層について、ＯＰＣ処理を含む各種調整処理を行う際に、情報記録開始時には、最初の記録開始アドレスがある開始記録層についてのみ調整処理を行えば良く、その他の記録層については情報記録処理中に調整処理を行うため、情報記録開始時におけるイニシャライズ時間を、単層構造の光ディスクと同等程度まで短縮することができる。また、開始記録層以外の記録層についても実際に調整処理を行うため、各記録層への最適な記録パワーの設定において信頼性に劣ることがない。【００４８】
また、間欠動作の「パワーセーブモード」時を利用して中間調整処理を行うため、記録速度を低下させることがない。また、間欠動作は、ＤＶＤレコーダやＤＶＤカムコーダ等の情報記録装置において一般的な情報記録方法であるため、本発明の汎用性を高めることができる。【００４９】
また、中間調整処理手段１１２による中間調整処理の実行中に、情報記録手段１２０が実記録動作モードに移行する必要が生じた場合、情報記録手段１２０は一時的に調整処理を中断して実記録動作モードに移行し、再度パワーセーブモードに移行したとき、中間調整処理手段１１２が未完了の調整処理を実行するため、１回のパワーセーブモード時に調整処理が完了しない場合でも、記録速度に影響を与えることがない。すなわち、調整処理として、ＯＰＣ処理やサーボゲイン調整などを含む多数の処理が必要な場合でも、記録速度を低下させることなく、全ての処理を実行することができる。【００５０】
なお、上記の例では、情報記録手段１２０が実記録動作モードに移行するような場合、一時的に中間調整処理を中断して実記録動作モードに移行するものとしたが、予め中間調整処理を複数の部分調整処理（１回のパワーセーブモード時で実行可能な程度の処理）に分割しておき、各部分調整処理をパワーセーブモード移行毎にそれぞれ実行するようにしても良い。例えば、部分調整処理として、サーボゲイン調整とＯＰＣ処理との２つを実行する場合、最初のパワーセーブモード時にサーボゲイン調整を行い、次のパワーセーブモード時にＯＰＣ処理を行うといった制御を行うことができる。この構成によれば、中間調整処理中にデータ記録が発生した場合、中間調整処理を一時中断してデータ記録を行うといった処理（図５のＳ１６ないしＳ１８に相当する処理）を省略することができる。【００５１】
また、上記の例では、２層構造の多層光ディスクＤを例示したが、３層以上の多層光ディスク（書き換え可能なＤＶＤ±ＲＷ等も含む）、若しくは多層光ディスク以外の多層情報記録媒体も本発明に適用可能である。また、本発明は、記録層数に拘わらず、イニシャライズ時間を単層構造のものと同等程度にすることができるため、記録層数が多いほど、顕著な効果を得ることができる。【００５２】
また、上記の例では、間欠動作における「パワーセーブモード」時を利用して中間調整処理を行うものとしたが、パワーセーブモード時に限らず、情報記録開始後の情報記録処理中における僅かな非記録動作時間を利用して中間調整処理を行うようにしても良い。また、記録時間に多少影響を与えることになるが、一時的に記録動作を中断して中間調整処理を行っても良い。さらに、情報記録終了後、ユーザが次に情報記録処理を開始するまでの間に中間調整処理を行っても良い。【００５３】
また、上記の例に示したＤＶＤカムコーダ１における各部、並びに各機能をプログラムとして提供することも可能である。また、そのプログラムを記録媒体（図示省略）に格納して提供することも可能である。記録媒体としては、ＣＤ―ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスク、フレキシブルディスクおよびハードディスク等を利用することができる。【００５４】
また、上述した実施例によらず、装置構成や処理工程等について、本発明の要旨を逸脱しない範囲で、適宜変更も可能である。また、ＤＶＤカムコーダ１以外にも、多層情報記録媒体への記録が可能な、ＢＤ（ブルーレイディスク）カムコーダやＤＶＤレコーダ等に本発明の中間調整処理機能を搭載可能である。
【図１】
2007091410.tif 000003
【図２】
2007091410.tif 000004
【図３】
2007091410.tif 000005
【図４】
2007091410.tif 000006
【図５】
2007091410.tif 000007
【国際調査報告】
2007091410.tif 000008
2007091410.tif 000009
2007091410.tif 000010